(57)【特許請求の範囲】
【請求項１】
ピボットホルダの筒状の軸受部にワイパアームを先端部に取り付けたピボット軸を回動自在に支持し、このピボット軸の基端部をリンク部材の取付孔に固定するようにしたワイパピボットにおいて、
前記ピボット軸の基端に該ピボット軸の軸径よりも大径の抜け止め部を形成し、前記リンク部材の取付孔に前記ピボット軸を先端部より圧入して該ピボット軸の基端部を該リンク部材の取付孔に固定すると共に、前記抜け止め部により抜け止めしたことを特徴とするワイパピボット。
【請求項２】
請求項１記載のワイパピボットであって、
前記ピボット軸の基端部に凹凸状の滑り止め部を形成したことを特徴とするワイパピボット。
【発明の詳細な説明】
【技術分野】
【０００１】
本発明は、車体に取り付けられてワイパアーム（ワイパブレード）を所定角度揺動させるワイパピボットに関する。
【背景技術】
【０００２】
この種のワイパピボットとして、図４に示すものがある（例えば、特許文献１参照。）。このワイパピボット１は、図４に示すように、車体（図示省略）に取り付けられるピボットホルダ２と、このピボットホルダ２に形成された円筒状の軸受部２ａ内に往復回動自在に支持され、先端部４ａにワイパアーム（図示省略）を取り付けたピボット軸４と、このピボット軸４の基端部４ｂに取付孔５ａが固定され、該ピボット軸４を往復回動（ワイパアームを所定角度揺動）させるピボットアーム５とを備えている。
【０００３】
そして、ピボットホルダ２の軸受部２ａ内の上側と下側には一対のブッシュ３，３をそれぞれ嵌め込んであり、該軸受部２ａの先端面２ｂにはピボット軸４に形成された鍔状部４ｄが当接している。また、ピボットホルダ２の軸受部２ａとピボットアーム５との間にはウェーブワッシャ６を介在してある。
【０００４】
【特許文献１】実開平４−１１３２６４号公報（図２）
【発明の開示】
【発明が解決しようとする課題】
【０００５】
しかしながら、前記従来のワイパピボット１では、ピボットホルダ２の軸受部２ａの先端面２ｂ側より該軸受部２ａとピボットアーム５の取付孔５ａにピボット軸４の基端４ｃを挿入し、その後で該ピボット軸４の基端４ｃをピボットアーム５の取付孔５ａの外側に加締め加工することにより、ピボット軸４の基端部４ｂをピボットアーム５の取付孔５ａに固定するようにしていたため、ピボット軸４をピボットアーム５に固定する際に加工工数が多くなって組付作業が煩雑となり、その分コスト高であった。
【０００６】
そこで、本発明は、前記した課題を解決すべくなされたものであり、ピボット軸をリンク部材の取付孔に固定する際の加締め加工を無くして加工工数の削減及び全体の低コスト化を図ることができるワイパピボットを提供することを目的とする。
【課題を解決するための手段】
【０００７】
請求項１の発明は、ピボットホルダの筒状の軸受部にワイパアームを先端部に取り付けたピボット軸を回動自在に支持し、このピボット軸の基端部をリンク部材の取付孔に固定するようにしたワイパピボットにおいて、前記ピボット軸の基端に該ピボット軸の軸径よりも大径の抜け止め部を形成し、前記リンク部材の取付孔に前記ピボット軸を先端部より圧入して該ピボット軸の基端部を該リンク部材の取付孔に固定すると共に、前記抜け止め部により抜け止めしたことを特徴とする。
【０００８】
請求項２の発明では、請求項１記載のワイパピボットであって、前記ピボット軸の基端部に凹凸状の滑り止め部を形成したことを特徴とする。
【発明の効果】
【０００９】
以上説明したように、請求項１の発明によれば、ピボット軸の基端に該ピボット軸の軸径よりも大径の抜け止め部を形成し、リンク部材の取付孔にピボット軸を先端部より圧入して該ピボット軸の基端部を該リンク部材の取付孔に固定すると共に、抜け止め部により抜け止めしたことにより、ピボット軸の基端部をリンク部材の取付孔に固定する際に、ピボット軸の基端の加締め加工を廃止してピボット軸の圧入のみで固定することができる。これにより、加工工数を削減することができ、全体の低コスト化を図ることができる。
【００１０】
請求項２の発明によれば、ピボット軸の基端部に凹凸状の滑り止め部を形成したことにより、この凹凸状の滑り止め部でピボット軸の基端部をリンク部材の取付孔に確実に固定することができる。
【発明を実施するための最良の形態】
【００１１】
以下、本発明の一実施形態を図面に基づいて説明する。
【００１２】
図１は本発明の一実施形態のワイパピボットを示す断面図、図２は同ワイパピボットのピボットアームの取付孔にピボット軸を圧入する前の状態を示す断面図、図３は同ピボットアームの取付孔に基端部を固定したピボット軸をピボットホルダの軸受部に組み付ける前の状態を示す断面図である。
【００１３】
図１及び図３に示すように、ワイパピボット１０は、図示しない内装パネル（車体）にナットとボルトを介して締結固定されるピボットホルダ１１と、このピボットホルダ１１に一体突出形成された円筒状の軸受部１２内に往復回動自在に支持され、先端部１４ｂにワイパアーム１７を取り付けたピボット軸１４と、このピボット軸１４の基端部１４ｃに円形の取付孔１５ａが固定され、該ピボット軸１４を往復回動（ワイパアーム１７を所定角度揺動）させるピボットアーム（リンク部材）１５とを備えている。
【００１４】
図１，図３に示すように、ピボットホルダ１１の円筒状の軸受部１２の内周面１２ａの上側と下側には円筒状で一対の含油メタル１３，１３をそれぞれ嵌め込んであり、この一対の含油メタル１３，１３にピボット軸１４の外周面１４ｅを摺動自在に支持してある。
【００１５】
図１〜図３に示すように、ピボット軸１４は鉄材等の鍛造により略丸棒状に形成してある。このピボット軸１４の先端１４ａには雄ねじ部を形成してあると共に、先端部１４ｂには円錐状のセレーション部を一体形成してある。また、ピボット軸１４の基端部１４ｃには凹凸縦溝状の滑り止め部を一体形成してあると共に、基端１４ｄは矩形鍔状の抜け止め部になっている。即ち、ピボット軸１４の凹凸縦溝状の滑り止め部（基端部）１４ｃの凸部分の外径寸法は、ピボット軸１４の外周面１４ｅより若干大径に形成してある。さらに、図２に示すように、ピボット軸１４の矩形鍔状の抜け止め部（基端）１４ｄの幅狭部分の寸法Ｇは、ピボット軸１４の外周面１４ｅの径寸法（軸径）Ｄよりも大径になっている（Ｇ＞Ｄ）。
【００１６】
そして、図１に示すように、ピボットホルダ１１の軸受部１２内にピボット軸１４が圧入されてピボットホルダ１１の軸受部１２の下側端面１２ｃがピボットアーム１５の上面１５ｂに当接されると、ピボット軸１４の雄ねじ部１４ａとセレーション部１４ｂがピボットホルダ１１の軸受部１２の上側端面１２ｂから外に露出するようになっている。この状態で、抜け止め部材としてのストッパ１６を上側よりピボット軸１４に挿通し、ピボット軸１４の外周面１４ｅの所定位置に係止させることにより、ピボット軸１４はピボットホルダ１１に対して抜け止めされて揺動自在に支持されるようになっている。さらに、ピボット軸１４の雄ねじ部１４ａとセレーション部１４ｂがピボットホルダ１１の軸受部１２の上側端面１２ｂから外に露出した状態で、ピボット軸１４のセレーション部１４ｂにはワイパアーム１７が嵌合されて雄ねじ部１４ａに螺着されるナット１８を介して固定されるようになっている。
【００１７】
また、ピボット軸１４の凹凸縦溝状の滑り止め部１４ｃに取付孔１５ａを固定したピボットアーム１５は、図示しないワイパモータの回転運動をピボット軸１４の揺動運動に変換するためのリンク機構の一部を構成するものである。
【００１８】
以上実施形態のワイパピボット１０によれば、図２に示すように、ピボット軸１４の基端に該ピボット軸１４の軸径よりも大径の抜け止め部１４ｄを一体突出形成し、この抜け止め部１４ｄで、ピボットアーム１５の取付孔１５ａに該ピボットアーム１５の下面１５ｃ側からピボット軸１４の先端１４ａより圧入して該ピボット軸１４の基端部１４ｄを該ピボットアーム１５の取付孔１５ａに固定する際に抜け止めしたことにより、ピボット軸１４の基端部１４ｃをピボットアーム１５の取付孔１５ａに固定する際に、ピボット軸１４の基端１４ｄの加締め加工を廃止してピボット軸１４の圧入のみで固定することができる。これにより、加工工数を削減することができ、ワイパピボット１０の低コスト化を図ることができる。
【００１９】
特に、ピボット軸１４の基端部に凹凸縦溝状の滑り止め部１４ｃを一体形成したことにより、この凹凸縦溝状の滑り止め部１４ｃでピボット軸１４の基端部をピボットアーム１５の取付孔１５ａに確実に固定することができる。
【００２０】
尚、前記実施形態によれば、ピボット軸の基端を矩形鍔状に一体突出形成して抜け止め部としたが、抜け止め部を円形鍔状に形成して良い。
【００２１】
また、前記実施形態によれば、ピボット軸１４の基端部に凹凸縦溝状の滑り止め部１４ｃを形成したが、ピボットアーム１５の内径側に滑り止めの溝を形成してもよい。ピボットアーム１５とピボット軸１４の双方に縦溝を形成し嵌合させて滑り止めするようにしても良い。
【図面の簡単な説明】
【００２２】
【図１】本発明の一実施形態のワイパピボットを示す断面図である。
【図２】上記ワイパピボットのピボットアームの取付孔にピボット軸を圧入する前の状態を示す断面図である。
【図３】上記ピボットアームの取付孔に基端部を固定したピボット軸をピボットホルダの軸受部に組み付ける前の状態を示す断面図である。
【図４】従来のワイパピボットの断面図である。
【符号の説明】
【００２３】
１０  ワイパピボット
１１  ピボットホルダ
１４  ピボット軸
１４ａ  雄ねじ部（先端）
１４ｂ  セレーション部（先端部）
１４ｃ  凹凸状の滑り止め部（基端部）
１４ｄ  大径の抜け止め部（基端）
１５  ピボットアーム（リンク部材）
１５ａ  取付孔
１７  ワイパアーム
【図１】
0004876049.tif 000002
【図２】
0004876049.tif 000003
【図３】
0004876049.tif 000004
【図４】
0004876049.tif 000005